(57)【要約】【課題】箱体形成片を組み立てて簡単に作ることができ、輸送条件に制限を有する収容物を複数個収容し、必要な輸送環境を測定して記録する装置を取り付けることができる輸送箱を提供する。【解決手段】側面の上方の開口を閉鎖する上蓋片３４が設けられた外箱１２を備え、外箱１２の中に、複数個の収容物１７５を区切って収容する仕切りパーツ１３０と、任意の外部環境を測定し記録する外部環境ロガー１７２を保持するロガー押さえパーツ１４６を備える。上蓋片３４は、複数個の収容物１７５に各々対応する位置に開封用の破断線４０と、収容物１７５を視認する透孔４２を有する。側面２０，２２には、外部環境ロガー１７２の表示部１７４と操作部に対向して開口部９０，１１０を備える。【選択図】図１
2020147325.tif 000002
【特許請求の範囲】
【請求項１】
側面の上方の開口を閉鎖する上蓋片が設けられた外箱を備え、前記外箱の中に、複数個の収容物を区切って収容する仕切りパーツと、任意の外部環境を測定し記録する外部環境ロガーを保持するロガー押さえパーツが設けられ、前記複数個の収容物を個別に開封の跡を残して取り出し可能に設けられていることを特徴とする輸送箱。
【請求項２】
一枚の箱体形成片から成り、筒体に組み立てられた側面と、前記筒体の下方の開口部を閉鎖する底部と、前記側面の上方の開口を閉鎖する上蓋片が設けられた外箱が設けられ、前記外箱の中には、複数個の収容物を所定位置に保持する仕切りパーツと、任意の外部環境を測定し記録する外部環境ロガーを所定位置に保持するロガー押さえパーツが設けられ、前記上蓋片は、前記複数個の収容物に各々対応する位置に開封用の破断線が設けられていることを特徴とする輸送箱。
【請求項３】
前記上蓋片の前記破断線は、前記収容物の外形に沿って形成され、前記仕切りパーツには、前記収容物を仕切る仕切りが設けられ、前記破断線は、前記仕切りの位置と一致している請求項２記載の輸送箱。
【請求項４】
前記収容物の一面は前記上蓋片の裏面に対面し、前記上蓋片には前記収容物を視認する透孔が形成されている請求項１又は２記載の輸送箱。
【請求項５】
前記側面の端部には、前記ロガー押さえパーツと前記温度ロガーを覆う上面片と立上片と下面片が折罫線で区切られて設けられ、前記上面片が設けられている前記側面に対して略直角に位置する前記側面の端部には、２つのフラップが並んで折罫線で区切られて設けられ、一方のフラップは、前記上面片の裏面に重ねられ、他方のフラップは前記収容物に面して重ねられる請求項１又は２記載の輸送箱。
【請求項６】
前記側面には、前記外部環境ロガーの表示部及び操作部に対向して開口部が設けられている請求項１又は２記載の輸送箱。
【請求項７】
前記上蓋片が設けられている前記側面には、前記上蓋片を区切る前記折罫線に対して略平行な折罫線が設けられ、前記上蓋片の前記破断線は前記折罫線を超えて前記側面の前記折罫線達している請求項１又は２記載の輸送箱。
【請求項８】
前記外部環境ロガーは、温度を測定して記録する温度ロガーである請求項１乃至７のいずれか記載の輸送箱。
【発明の詳細な説明】
【技術分野】
【０００１】
この発明は、医薬品等を入れて搬送及び保管可能な輸送箱に関する。
【背景技術】
【０００２】
医薬品等には、輸送する際に厳しい温度管理が必要なものがある。従来、このような収容物を入れて輸送する際に、内部空間の温度を継続的に記録する機能を備えた輸送容器がある。例えば、特許文献１に開示されている輸送容器は、保温機能を有し、輸送容器内の複数の箇所の温度をそれぞれ測定するための複数の熱電対と、前記熱電対により測定した温度を記録する温度記録装置が設けられている。これにより、収容物を輸送する際の温度を測定して記録することができる。
【０００３】
また、特許文献２に開示されている箱体は、側壁上縁に保冷剤収納部板を連接し、保冷剤収納部板を折って箱内部に保冷材の収納空間を形成し、側壁の外面あるいは内面にＩＣタグを貼り付けて設けられている。この箱体によれば、箱体の行方の追跡、管理、履歴情報を管理することができる。ＩＣタグ内に温度計を取り付けることにより、箱体の温度情報を知ることができる。
【先行技術文献】
【特許文献】
【０００４】
【特許文献１】特開２０１１−２０７５０６号公報
【特許文献２】特開２０１１−１８４１０２号公報
【発明の概要】
【発明が解決しようとする課題】
【０００５】
上記背景技術の場合、複数個の収容物を個々に収容して個々に取り出し、残りを継続して収容することは考えられていないものである。また熱電対やＩＣタグは、固定式であり、必要な輸送条件を測定する任意の外部環境測定装置を適宜取り付けることは考えられていないものである。
【０００６】
この発明は、上記背景技術の問題点に鑑みてなされたものであり、箱体形成片を組み立てて簡単に作ることができ、輸送条件に制限を有する収容物を複数個収容し、必要な輸送環境を測定して記録する装置を取り付けることができる輸送箱を提供することを目的とする。
【課題を解決するための手段】
【０００７】
本発明は、側面の上方の開口を閉鎖する上蓋片が設けられた外箱を備え、前記外箱の中に、複数個の収容物を区切って収容する仕切りパーツと、任意の外部環境を測定し記録する外部環境ロガーを保持するロガー押さえパーツが設けられ、前記複数個の収容物を個別に開封の跡を残して取り出し可能に設けられている輸送箱である。前記外部環境ロガーは、例えば、温度を測定して記録する温度ロガーである。
【０００８】
また本発明は、一枚の箱体形成片から成り、筒体に組み立てられた側面と、前記筒体の下方の開口部を閉鎖する底部と、前記側面の上方の開口を閉鎖する上蓋片が設けられた外箱が設けられ、前記外箱の中には、複数個の収容物を所定位置に保持する仕切りパーツと、任意の外部環境を測定し記録する外部環境ロガーを所定位置に保持するロガー押さえパーツが設けられ、前記上蓋片は、前記複数個の収容物に各々対応する位置に開封用の破断線が設けられている輸送箱である。
【０００９】
前記上蓋片の前記破断線は、前記収容物の外形に沿って形成され、前記仕切りパーツには、前記収容物を仕切る仕切りが設けられ、前記破断線は、前記仕切りの位置と一致している。さらに、前記破断線に沿って、開封用穴が形成されていると良い。
【００１０】
前記収容物は、任意の形状の商品を包装する矩形の包装用箱である。前記包装用箱の一面は前記上蓋片の裏面に対面し、前記上蓋片には前記収容物を視認する透孔が形成され、前記包装用箱の前記透孔に露出する部分には、前記商品についての情報を記載する印刷部が設けられ、前記透孔から視認することができる。
【００１１】
前記側面の端部には、前記ロガー押さえパーツと前記温度ロガーを覆う上面片と立上片と下面片が折罫線で区切られて設けられている。前記上面片が設けられている前記側面に対して略直角に位置する前記側面の端部には、２つのフラップが並んで折罫線で区切られて設けられ、一方のフラップは、前記上面片の裏面に重ねられ、他方のフラップは前記上面片以外の前記収容部の側面に折り返して重ねられ、又は前記上蓋片の裏面に重ねられる。
【００１２】
前記側面には、前記温度ロガーの表示部に対向して設けられ前記表示部を見るための開口部と、前記温度ロガーの操作部に対向して設けられ前記操作部を操作するための開口部が設けられている。
【００１３】
前記上蓋片の前記側面とは反対側の端部及び前記端部に対して交差する両側の側縁部には、差込片が折罫線で区切られて各々設けられ、前記側面と前記上面片または前記フラップを区切る折罫線には、前記差込片が差し込まれて係止されるスリットが設けられている。前記差込片を前記スリットに差し込むことにより、前記上蓋片は閉鎖が可能である。
【００１４】
前記上蓋片が設けられている前記側面には、前記上蓋片を区切る前記折罫線に対して略平行な折罫線が設けられ、前記上蓋片の前記破断線は前記折罫線を超えて前記側面の前記折罫線達している。
【発明の効果】
【００１５】
本発明の輸送箱は、箱体形成片を組み立てて簡単に作ることができ、輸送条件に制限を有する収容物を複数個収容し、必要な輸送環境や条件を測定して記録する装置を取り付けることができる。収容物が輸送中に受けた輸送環境や条件の変化を記録し、輸送条件が適切に管理されていたかを確認することができるので、収容物の安全性や品質を保証することができ、信頼性の高い輸送及び保管等を可能にする。さらに、高い改ざん防止効果と品質保証効果を有するので、輸送する製品の安全性や品質を高度に維持し、製品の転送や保管の自由度も向上し、製品の輸送効率や使用効率も向上する。
【図面の簡単な説明】
【００１６】
【図１】この発明の一実施形態の輸送箱の分解斜視図である。
【図２】この実施形態の輸送箱の外箱の展開図である。
【図３】この実施形態の輸送箱の底板部材の展開図である。
【図４】この実施形態の輸送箱の仕切りパーツの展開図である。
【図５】この実施形態の輸送箱のロガー押さえパーツの展開図である。
【図６】この実施形態の輸送箱の使用状態を示す斜視図（ａ）と開封した状態を示す斜視図（ｂ）である。
【発明を実施するための形態】
【００１７】
以下、この発明の実施形態について図面に基づいて説明する。図１〜図６はこの発明の第一実施形態を示すもので、この実施形態の輸送箱１０は、外側を覆う外箱１２と、外箱１２の底部に入れる底板部材１２０と、底板部材１２０の上面１２２に置く仕切りパーツ１３０と、仕切りパーツ１３０に並んで底板部材１２０の上面１２２に置くロガー押さえパーツ１４６からなる。
【００１８】
まず、外箱１２について説明する。外箱１２は、紙製のシートを打ち抜いて形成された箱体形成片１４を組み立てて設けられている。図２は箱体形成片１４を表面から見た展開図であり、箱体形成片１４は、側面１６，１８，２０，２２が、互いに平行に連接して形成されている。側面１６，１８，２０，２２は、連接している幅方向は同じ長さであり、連接方向の長さは側面１６，２０が長くて互いにほぼ等しく、側面１８，２２はそれより短くて互いにほぼ等しい。さらに側面１６の側縁部には、外箱１２の組立状態で側面２２の裏面に糊付けされる糊付片２４が設けられている。糊付片２４、側面１６，１８，２０，２２は、各々折罫線２６，２８，３０，３２で区切られている。
【００１９】
側面１６において、側面同士の連接方向に対して直角な方向の一端部には、上蓋片３４が折罫線３６で区切られて設けられている。上蓋片３４には、折罫線３６とは反対側の端部３４ａに近い位置に、折罫線３６に対して平行な破断線３８が設けられ、折罫線３６と破断線３８の間は、開封部３４ｂとなる。開封部３４ｂには、折罫線３６に対して略直角な破断線４０が４本設けられ、破断線４０は折罫線３６に沿って等間隔であり、開封部３４ｂを同じ大きさの５つに区切っている。５つに区切られた各開封部３４ｂの中央には、矩形の透孔４２が形成されている。端部３４ａと破断線３８の間には、開封用穴４４が５つ設けられている。各開封用穴４４は、破断線３８に沿って設けられ、一つの開封部３４ｂの幅の１／２程度の直径の半円形に形成され、５つに区切られた開封部３４ｂに各々対応して位置している。端部３４ａには、小さい５角形の差込片４６が折罫線４８で区切られて設けられている。差込片４６は、端部３４ａの中心を挟んで両側に位置している。上蓋片３４の、端部３４ａに対して略直角に交差する側縁部３４ｃにも、差込片４６が折罫線４８で区切られて設けられている。
【００２０】
側面１６の、中央よりも折罫線３６に近い位置に、折罫線３６に対して略平行な折罫線５０が設けられている。上蓋片３４の破断線４０は、折罫線３６を超えて折罫線５０に達している。糊付片２４との境界である折罫線２６と、側面１８との境界である折罫線２８は、折罫線３６と折罫線５０の間が破断線４０となる。
【００２１】
側面１６の、折罫線３６と反対側の端部には、第一底蓋片５２が折罫線５４で区切られて設けられている。第一底蓋片５２は、折罫線５４を下底とする台形状に形成され、折罫線５４からそれに対して平行な上底である端部５２ａまでの長さは、外箱１２の組立状態で底部の中心線付近に位置する長さ、つまり側面１８，２２の約半分の幅に設けられている。端部５２ａには糊付片２４に近い位置に、端部５２ａから外側に突出する小形の四角形状の第一底部差込片５６が一体に設けられている。端部５２ａの、側面１８側の部分は、略三角形の底部糊付片５８が折罫線６０で区切られて設けられている。折罫線６０は、折罫線５４に対して交差する方向に設けられている。
【００２２】
側面１８の、側面１６の折罫線３６に隣接する端部には、台形状の２つのフラップ６２，６４が折罫線６６で区切られて設けられている。フラップ６２は、側面１６に近い位置に設けられ、フラップ６４より大きい。折罫線６６の、フラップ６２に連続する位置に、差込片４６が差し込まれるスリット６８が折罫線６６に沿って設けられている。フラップ６４は、側面２０に近い位置に設けられ、折罫線６６に対して平行な方向の長さはフラップ６２よりも短く、折罫線６６に対して直角な方向の長さはフラップ６２より少し長い。側面１８の、折罫線６６とは反対側の端部には、三角形状の底フラップ７０が折罫線７２で区切られて設けられている。
【００２３】
側面２０の、側面１８の折罫線６６に隣接する端部には、矩形の上面片７４が折罫線７６で区切られて設けられ、上面片７４の端部には矩形の立上片７８と下面片８０が順に折罫線８２，８４で区切られて設けられている。折罫線７６に対して平行な長さは、上面片７４と立上片７８、下面片８０は折罫線７６と同じであり、折罫線７６に対して直角な長さは、上面片７４は短く、上蓋片３４の半分以下であり、立上片７８はそれより長く側面２０よりは短く、下面片８０は上面片７４と立上片７８の間で、上蓋片３４から上面片７４を差し引いた長さである。下面片８０の、折罫線８４とは反対側の端部８０ａの中心には、半円形に切り欠かれた凹部８６が形成されている。折罫線７６には、差込片４６が差し込まれる２つのスリット８８が折罫線７６に沿って設けられている。
【００２４】
側面２０には、中央よりも折罫線３２に近い位置に、矩形を変形した開口部９０が設けられている。側面２０の、折罫線７６とは反対側の端部には、第一底蓋片５２と同じ形状の第二底蓋片９２が折罫線９４で区切られて設けられている。第二底蓋片９２は、折罫線９４を下底とする台形状に形成され、折罫線９４からそれに対して平行な上底である端部９２ａまでの長さは、外箱１２の組立状態で底部の中心線付近に位置する長さ、つまり側面１８，２２の約半分の幅に設けられている。端部９２ａには、底フラップ７０に近い位置に、端部９２ａから外側に突出する小形の四角形状の第二底部差込片９６が一体に設けられている。端部９２ａの、側面２２側の部分は、略三角形の底部糊付片９８が折罫線１００で区切られて設けられている。折罫線１００は、折罫線９４に対して交差する方向に設けられている。
【００２５】
側面２２の、側面２０の折罫線７６に連接する端部には、フラップ６２，６４と同じ形状のフラップ１０２，１０４が折罫線１０６で区切られて設けられている。フラップ１０２は、フラップ６４と線対称の形状で、側面２０に近い位置に設けられている。フラップ１０４は、フラップ６２と線対称の形状で、側面２０から遠い位置に設けられている。折罫線１０６の、フラップ１０４に連続する位置に、差込片４６が差し込まれるスリット１０８が折罫線１０６に沿って設けられている。
【００２６】
側面２２には、折罫線３２に連続し折罫線１０６よりも反対側の端部に近い位置に、小さい矩形の開口部１１０が設けられている。側面２２の、折罫線１０６と反対側の端部には、底フラップ７０と同じ形状の底フラップ１１２が折罫線１１４で区切られて設けられている。
【００２７】
次に、この実施形態の外箱１２の組立方法について説明する。なお、ここでは図２が外箱１２の箱体形成片１４の表面を見たものであり、箱体形成片１４の表面が凸になる折り方を正折り、そして裏面が凸になる折り方を逆折りと称する。
【００２８】
まず、折罫線５４，７２，９４，１１４で、第一底蓋片５２、底フラップ７０、第二底蓋片９２、底フラップ１１２を正折りし、次に第一底蓋片５２の折罫線６０と、第二底蓋片９２の折罫線１００を逆折りし、底部糊付片５８，９８の裏面に、それぞれ糊１１６を塗布する。次に、糊付片２４の表面に糊１１８を塗布し、折罫線２８を正折りし、次に折罫線３２を正折りする。これにより、側面２２は糊付片２４の表面に糊１１８で糊付けされ、第一底蓋片５２の底部糊付片５８の裏面は、糊１１６により底フラップ７０の表面に糊付けされ、第二底蓋片９２の底部糊付片９８の裏面は、糊１１６により底フラップ１１２の表面に糊付けされる。これにより箱体形成片１４は折り畳み状態となり、この状態で出荷される。
【００２９】
次に、収容物を収容し包装する工場等において、折罫線２６，２８，３０，３２を各々９０°に正折りして四角形の箱体にする。この時、第一底蓋片５２の底部糊付片５８は底フラップ７０に、第二底蓋片９２の底部糊付片９８は底フラップ１１２に糊付けされているため、二つ折りされていた折罫線５４，７２，９４，１１４は自動的に引き起こされてほぼ９０°に開き、ワンタッチで底部が形成される。そして、第一底部差込片５６は第二底蓋片９２の裏面に差し込まれて重なり、第二底部差込片９６は第一底蓋片５２の裏面に差し込まれて重なり、互いに係止される。これにより底部が確実に係止され箱体の底部の形状を保ち、折り畳み状態に戻ることを防ぎ、図１に示す状態となる。
【００３０】
次に、外箱１２の底部に入れる底板部材１２０について説明する。底板部材１２０は、紙製のシートを打ち抜いて形成された形成片を組み立てて設けられている。図３は底板部材１２０の形成片を表面から見た展開図であり、外箱１２の底部に僅かなゆとりを有して入れられる大きさの矩形の上面１２２を有し、上面１２２の長手方向に沿う一対の側縁部には、側面１２４が折罫線で区切られて各々設けられている。側面１２４の長手方向の一対の端部には、糊付片１２６が折罫線で区切られて設けられている。上面１２２の、長手方向に交差する一対の側縁部には、側面１２８が折罫線で区切られて各々設けられている。各側面１２４，１２６の幅は短く、互いに等しい。
【００３１】
次に、底板部材１２０の組立方法について説明する。糊付片１２６の裏面に糊を塗布し、各折罫線を９０°に正折りする。糊付片１２６の裏面を側面１２８の表面に糊付けし、図１に示すように立体的に成形し、組み立てが完了する。
【００３２】
次に、底板部材１２０の上面１２２に置く仕切りパーツ１３０について説明する。仕切りパーツ１３０は、紙製のシートを打ち抜いて形成された形成片を組み立てて設けられている。図４は仕切りパーツ１３０の形成片を表面から見た展開図であり、外箱１２の側面１６に重ねられる側面１６よりも小さい矩形の側面１３２を有し、側面１３２は一方向に長い矩形であり、長手方向が、外箱１２の折罫線３６に対して平行になるようにセットされる。側面１３２の、長手方向に沿う一方の端部１３２ａには、側面１３２に折り返される折返面１３４が折罫線で区切られて設けられている。折返面１３４は、端部１３２ａの三分の一の長さを有し、端部１３２ａの中心に連続し、折返面１３４の端部１３２ａに対して直角な方向の長さは側面１３２と同じ長さの矩形である。折返面１３４の、端部１３２ａに対して略直角に位置する一対の側縁部には、矩形の仕切り１３６が折罫線１３８で区切られて各々設けられている。仕切り１３６は、端部１３２ａに対して平行な長さは折返面１３４より少し長く、端部１３２ａに対して直角な長さは折返面１３４と同じ矩形である。仕切り１３６と側面１３２の間は、端部１３２ａに沿って切断されている。一対の仕切り１３６の、端部１３２ａとは反対側の端部には、矩形の底面１４０が折罫線で区切られて各々設けられている。側面１３２の、端部１３２ａに交差する一対の側縁部には、仕切り１３６と同形状の仕切り１４２が折罫線１４４で区切られて設けられている。一対の仕切り１４２の、端部１３２ａとは反対側の端部には、仕切り１３６に設けられた底面１４０と同じ形状の底面１４０が折罫線で区切られて設けられている。
【００３３】
次に、仕切りパーツ１３０の組立方法について説明する。まず端部１３２ａを正折りして側面１３２と折返面１３４を重ねる。一対の仕切り１３６を折罫線１３８で９０°に逆折りし、一対の仕切り１４２を折罫線１４４で９０°に正折りする。これにより、仕切り１３６，１４２は、互いに等間隔に並んで、側面１３２に対して直角に位置し、互いに平行となる。仕切り１３６，１４２に連続する各底面１４０は、任意の方向へ折罫線で９０°に折り、図１に示すように立体的に成形し、組み立てが完了する。各底面１４０を折る方向は、互いに同じ方向でも良く、異なる方向でも良い。底面１４０どうしが重ならなければよい。
【００３４】
次に、底板部材１２０の上面に仕切りパーツ１３０と隣合わせにして置くロガー押さえパーツ１４６について説明する。なお、ロガー押さえパーツ１４６が保持する外部環境ロガーは、例えば温度を測定して記録する温度ロガー１７２である。ロガー押さえパーツ１４６は、紙製のシートを打ち抜いて形成された形成片を組み立てて設けられている。図５はロガー押さえパーツ１４６の形成片を表面から見た展開図であり、外箱１２の側面２０に重ねられ側面２０よりも小さい矩形の側面１４８を有し、側面１４８は一方向に長い矩形であり、長手方向が、外箱１２の折罫線３６に対して平行になるようにセットされる。側面１４８の長手方向の長さは、側面２０から収容物である温度ロガー１７２の長さを差し引いたものである。側面１４８の、長手方向の一方の端部１４８ａには、温度ロガー１７２の側面に対面する横当接片１５４と、温度ロガー１７２の上面に交差して当接する上当接片１５６が設けられている。側面１４８の、長手方向に交差する長さは、横当接片１５４が長く上当接片１５６は短い。
【００３５】
横当接片１５４は、側面１４８のその他の部分とは、側面１４８の長手方向に交差する折罫線１５８で区切られている。横当接片１５４の、長手方向の長さは、折罫線１５８と端部１４８ａのほぼ中間付近に達する長さであり、外箱１２に仕切りパーツ１３０を側面１６に沿って入れた時に側面２０側に生じる空間の幅よりも僅かに小さい。横当接片１５４と、側面１４８ａの間は糊付片１６０であり、横当接片１５４との間は折罫線１６２で区切られている。
【００３６】
上当接片１５６は、折罫線１５８付近から、折罫線１６２を超えて端部１４８ａの近傍に達する長さであり、端部１４８ａ側が折罫線１６４で区切られている。ている。折罫線１６４と端部１４８ａの間は糊付片１６０である。横当接片１５４と上当接片１５６は、側面１４８の長手方向に沿う切断線１６６で区切られ、切断線１６６は、折罫線１５８の端部と、折罫線１６４の端部に連結されている。折罫線１６４と折罫線１５８は互いに平行で、異なる位置にある。つまり、横当接片１５４は、一対の折罫線１５８，１６２と切断線１６６と、側面１４８の長手方向の側縁部で囲まれた矩形である。糊付片１６０は、折罫線１６２，１６４と切断線１６６、側面１４８の長手方向の一対の側縁部と端部１４８ａで囲まれた変形した六角形である。上当接片１５６は、切断線１６６と折罫線１６４、側面１４８の長手方向の側縁部と、折罫線１５８の延長線で囲まれた細長い矩形であり、折罫線１５８の延長線上には折罫線等が設けられていない。上当接片１５６の中央には、折罫線１５８に対して平行な折罫線１６８が上当接片１５６を横断して設けられている。
【００３７】
側面１４８の、長手方向の上当接片１５６が設けられた側縁部には、端部１４８ａと離れた位置に、矩形に切り欠かれた凹部１７０が設けられている。側面１４８の、端部１４８ａとは反対側の端部には、側面１４８より小さい側面１５０が折罫線１５１で区切られて設けられ、側面１５０の、側面１４８とは反対側の端部には、１５０よりも大きく側面１４８よりは小さい側面１５２が折罫線１５３で区切られて設けられている。側面１４８，１５０，１５２は、連接方向に交差する幅は互いに等しい。
【００３８】
次に、ロガー押さえパーツ１４６の組立方法について説明する。まず、糊付片１６０の裏面に糊を塗布し、折罫線１５１を正折りする。これにより、糊付片１６０の裏面は側面１５２の裏面に糊付けされ、ロガー押さえパーツ１４６は二つ折り状態となる。そして、折罫線１５１，１５３，１５８を９０°に正折りし、引き起こすと、折罫線１６２は９０°に逆折りされ、四角筒状になる。上当接片１５６は、折罫線１６４が９０°に逆折りされ、折罫線１６８は９０°に正折りされ、横当接片１５４からは切断線１６６で離れて、Ｌ字形に立体的になる。
【００３９】
次に、組み立てた外箱１２、底板部材１２０、仕切りパーツ１３０、ロガー押さえパーツ１４６の使用方法について説明する。まず、外箱１２の底部に、底板部材１２０を入れる。これにより、底板部材１２０の上面１２２は、各側面１２４，１２８により底部から離れ、緩衝機能を有する二重底となる。上面１２２の上に、外箱１２の側面２０の裏面に沿って、温度ロガー１７２を収容したロガー押さえパーツ１４６を入れる。ロガー押さえパーツ１４６は上当接片１５６を上方にし、上当接片１５６の下に矩形の温度ロガー１７２を入れ、横当接片１５４と糊付片１６０に、温度ロガー１７２の２方向の側面を当て、横方向のがたつきを止める。上当接片１５６の下側の側縁部は温度ロガー１７２の上面に当たり、縦方向のがたつきを止める。温度ロガー１７２の表示部１７４は、糊付片１６０とは反対側にする。温度ロガー１７２とロガー押さえパーツ１４６を、外箱１２に入れた時、温度ロガー１７２の表示部１７４は、外箱１２の側面２０の開口部９０の内側に位置し、外側から見ることができる。外箱１２の側面２２の開口部１１０からは、温度ロガー１７２の側面の一部が位置し、ここに操作部等が位置すると、外側から操作することができる。
【００４０】
次に、折罫線６６，１０６でフラップ６４，１０２を９０°に正折りし、折罫線７６，８２を９０°に正折りし、温度ロガー１７２とロガー押さえパーツ１４６の上方を、フラップ６４，１０２を押さえて上面片７４で覆い、立上片７８でロガー押さえパーツ１４６の側面１５２の表面を覆う。折罫線８４を９０°に逆折りし、底板部材１２０の上面１２２に、下面片８０を重ねる。これにより、ロガー押さえパーツ１４６と温度ロガー１７２は、がたつき無く側面２０の裏面に収納される。次に、下面片８０の上に仕切りパーツ１３０を入れ、外箱１２の側面１６の裏面に仕切りパーツ１３０の側面１３２が重なるように寄せる。仕切り１３６，１４２は、立上片７８と側面１６の間に略直角に入る大きさであり、立上片７８と側面１６の間の空間を５等分する。５等分した空間に、収容物を５個入れる。ここでは、収容物は温度管理が必要な医薬品であり、５等分した空間に僅かな隙間を有して入れられる立方体の包装用箱１７５に収容されているものである。医薬品を収容した包装用箱１７５を各空間に入れる前に、折罫線６６，１０６でフラップ６２，１０４を１８０°に正折りし、この後、包装用箱１７５を各空間に入れる。次に、折罫線３６で上蓋片３４を９０°に正折りし、各差込片４６を折罫線４８で９０°に正折りし、スリット６８，８８，１０８に差し込み、封緘シール等で閉鎖し、図６（ａ）に示すように包装が完了する。なお、差込片４６を各スリット６８，８８，１０８に差し込んだ後、各側面１８，２０，２２と上蓋片３４を、封緘シールで貼り付けてもよい。開口部９０からは温度ロガー１７２の表示部１７４を見ることができる。開口部１１０には温度ロガー１７２の操作部が位置している。透孔４２から収容物の上面を見ることができ、ここでは、医薬品を包装する包装用箱１７５の上面に商品名等の情報が印刷された印刷部１７６を見ることができる。スリット８８の裏側に位置するロガー押さえパーツ１４６には凹部１７０が形成されているため、支障なく差込片４６が差し込まれる。
【００４１】
収容物の輸送を開始するときに、開口部１１０に露出した箇所にある温度ロガー１７２の図示しないスイッチを入れて温度を記録する。所定温度の冷蔵車等で運搬し、届けた後は、使用するまで冷蔵庫等で保管する。輸送箱１０に収容された医薬品を使用する際は、温度ロガー１７２の記録を確認し、所定の温度管理がされていたことを確認する。医薬品を取り出す際には、上蓋片３４の開封用穴４４に指をかけて開封部３４ｂを引き上げると、図６（ｂ）に示すように破断線３８，４０が切断され、開封部３４ｂの一区画が開封され、医薬品の包装用箱１７５を取り出す。破断線３８，４０は包装用箱１７５の外形に一致し、仕切りパーツ１３０の仕切り１３６，１４２に一致しているため、包装用箱１７５を、１個だけを容易に取り出すことができる。開封部３４ｂを区切る破断線４０は、側面１６の折罫線５０に達しているため、開口部を大きく側面１６に達して開けることができる。残りの包装用箱１７５は、開封部３４ｂの未開封の部分に覆われ、未開封であることが保証され、収容された状態を維持する。温度ロガー１７２が作動を続け温度を記録することで、残りの医薬品の温度管理を確認することができ、時間をおいた後に使用したり、返品したりする際に、温度管理が適切に行われていたかを確認することができ、収容した医薬品の品質を保証する。
【００４２】
この実施形態の輸送箱１０によれば、紙製のシートを打ち抜いて形成された形成片を組み立てて簡単に作ることができ、外箱１２の内側に温度ロガー１７２を取り付けて、輸送時の温度を計測し記録することができる。温度ロガー１７２が収容物の配置の妨げならず、外箱１２内のスペースを有効活用し、外箱１２をコンパクトに構成することができる。温度ロガー１７２に、測定した温度を表示する表示部を設けることにより、輸送中にも温度状態を確認することができる。収容物を複数個入れることができ、上蓋片３４を破断線３８，４０で切断して対応する部分だけを開封し、使用する個数だけを簡単に取り出すことができ、残りを引き続き収容することができる。上蓋片３４の端部３４ａと一対の側縁部３４ｃの、３方向に差込片４６が設けられ、３方向で上蓋片３４を閉鎖するため、高い改ざん防止効果がある。開封する時は、破断線３８，４０が破断され、開封された痕跡が残るものであり、この点からも改ざん防止効果がある。ロガー押さえパーツ１４６により、温度ロガー１７２を高い緩衝性を有して保持し収容することができ、振動による故障等の不具合を防ぐことができる。ロガー押さえパーツ１４６と温度ロガー１７２は、外箱１２の上面片７４と立上片７８、下面片８０で覆われてがたつき無く、安定にコンパクトに収容することができる。温度ロガー１７２を、包装用箱１７５との間に隙間なく収容することができ、正確に医薬品等の収容物である包装用箱１７５の温度を測定することができる。底板部材１２０が設けられているため、包装用箱１７５と温度ロガー１７２に対して高い緩衝効果を有し、また、底部からの改ざんを防止する効果を得ることができる。破断線４０は、側面１６の折罫線５０に達しているため、破断線４０を折罫線５０まで切断して大きく開封することができ、取り出しやすい。破断線３８には開封用穴４４が設けられ、開封しやすい。
【００４３】
なお、この発明の輸送箱は、上記実施形態に限定されるものではなく、箱体の大きさや形状は、内容物に合わせて適宜変更可能である。各箱体形成片、底板部材、仕切りパーツ、ロガー押さえパーツの素材は、紙や合成樹脂等、適宜変更可能である。収容物の数に合わせて、仕切りパーツの仕切りの数や、開封部の破断線の数を自由に設定する。開封部は、収容物を複数個同時に取り出すように破断線を少なく設けてもよい。上蓋片は、差込片で係止されるもの以外に、糊付け等によって閉鎖されるものでも良い。収容物は医薬品以外に、食品や医療検体等、色々なものに使用することができる。各折罫線は、折り曲げやすくするために破断線等で設けてもよい。温度ロガーの表示部を見るための開口部の形状は自由に変更可能であり、不要であれば無くてもよい。その他の各部材も、不要な場合は無くてもよい。温度ロガーは、縦置きでも横置きでも良い。輸送箱は、一つの外箱から成るもの以外に、仕切りパーツが設けられた箱体と、ロガー押さえパーツが設けられた箱体を組み合わせたものでも良い。外部環境ロガーは、温度を測定し記録する温度ロガー以外でもよく、湿度や振動、空気中の成分などを測定し記録するものでも良い。
【符号の説明】
【００４４】
１０  輸送箱
１２  外箱
１４  箱体形成片
１６，１８，２０，２２  側面
３４  上蓋片
３４ｂ  開封部
３８，４０  破断線
４２  透孔
４４  開封用穴
４６  差込片
５０  折罫線
６２，６４，１０２，１０４  フラップ
６８，８８，１０８  スリット
７４  上面片
７８  立上片
８０  下面片
９０，１１０  開口部
１２０  底板部材
１３０  仕切りパーツ
１３６，１４２  仕切り
１４６  ロガー押さえパーツ
１５４  横当接片
１５６  上当接片
１７２  温度ロガー
１７４  表示部
１７５  包装用箱
１７６  印刷部
【図１】
2020147325.tif 000003
【図２】
2020147325.tif 000004
【図３】
2020147325.tif 000005
【図４】
2020147325.tif 000006
【図５】
2020147325.tif 000007
【図６】
2020147325.tif 000008